(57)【特許請求の範囲】
【請求項１】
肥料を送出する肥料繰出ケース（３８）と、植付部（１５）に肥料を送給する搬送ホース（４０）と、前記搬送ホース（４０）に肥料搬送風を供給するエアタンク（４２）とを、ホースジョイント（６９）にて連結し、前記肥料繰出ケース（３８）に繰出ロール（７７）を備え、該繰出ロール（７７）をロール駆動軸（８０）にて駆動するように構成してなる田植機において、前記エアタンク（４２）及びホースジョイント（６９）に対して前記肥料繰出ケース（３８）を昇降可能に配置し、前記肥料繰出ケース（３８）の出口（６７）と、ホースジョイント（６９）の肥料入口（７０）との隙間を塞ぐ嵌合キャップ（７１）を備えると共に、前記肥料入口（７０）に連通する肥料落下口（１２７）を前記ホースジョイント（６９）に形成し、前記肥料落下口（１２７）に肥料詰り防止用の掃除部材（１３５）を配置し、前記掃除部材（１３５）を前記ロール駆動軸（８０）に連結したことを特徴とする田植機。
【請求項２】
前記掃除部材（１３５）を線径の細いコイルバネ（１３６）にて形成し、前記ロール駆動軸（８０）に前記掃除部材（１３５）が首振り可能に連結されたことを特徴とする請求項１に記載の田植機。
【発明の詳細な説明】
【０００１】
【発明の属する技術分野】
本発明は例えば苗載台及び植付爪を備えて連続的に苗植作業及び側条施肥作業を行う田植機に関する。
【０００２】
【発明が解決しようとする課題】
従来、エアタンクからの肥料搬送風の流れるホースジョイントの肥料入口と、繰出ケースの出口との合流部は、繰出ロールの駆動軸芯より偏心した位置にあって、繰出ロールからの繰出肥料を略直線的に合流部に落下させていた。しかし乍らこのような風の空気流で肥料の搬送を行う構造の場合、繰出ケースの出口側の肥料が風の吹上げによって、出口付近に付着し破損するなどして、肥料詰りが発生し易いという問題がある。
【０００６】
【課題を解決するための手段】
請求項１に係る発明は、肥料を送出する肥料繰出ケースと、植付部に肥料を送給する搬送ホースと、前記搬送ホースに肥料搬送風を供給するエアタンクとを、ホースジョイントにて連結し、前記肥料繰出ケースに繰出ロールを備え、該繰出ロールをロール駆動軸にて駆動するように構成してなる田植機において、前記エアタンク及びホースジョイントに対して前記肥料繰出ケースを昇降可能に配置し、前記肥料繰出ケースの出口と、ホースジョイントの肥料入口との隙間を塞ぐ嵌合キャップを備えると共に、前記肥料入口に連通する肥料落下口を前記ホースジョイントに形成し、前記肥料落下口に肥料詰り防止用の掃除部材を配置し、前記掃除部材を前記ロール駆動軸に連結した。したがって、例えば粉の多い肥料、或いは高湿度条件下など肥料詰りが発生し易い作業条件でも、前記合流部における肥料粉等などの付着を掃除部材にて確実に防止し、肥料詰り等を低減するものである。
【０００７】
請求項２に係る発明は、前記掃除部材を線径の細いコイルバネにて形成し、前記ロール駆動軸に前記掃除部材を首振り可能に連結したから、前記肥料落下口における肥料詰りを良好に防止できると共に、コイルバネ内側の空間にて肥料がスムーズに排出され、前記掃除部材が肥料排出の妨げとなることも解消できて、前記ホースジョイントにて肥料と搬送風とがスムーズに合流するものである。
【０００８】
【発明の実施の形態】
以下、本発明の実施例を図面に基づいて詳述する。図１は繰出ケースの合流部の断面説明図、図２は乗用田植機の側面図、図３は同平面図を示し、図中（１）は作業者が搭乗する走行車であり、エンジン（２）を車体フレーム（３）前部上方に搭載させ、ミッションケース（４）前方にフロントアクスルケース（５）を介して水田走行用前輪（６）を支持させると共に、前記ギヤ変速ケース（４）の後部にリヤアクスルケース（７）を連設し、前記リヤアクスルケース（７）に水田走行用後輪（８）を支持させる。そして前記エンジン（２）等を覆うボンネット（９）両側に予備苗載台（１０）を取付けると共に、ステップ（１１）を介して作業者が搭乗する車体カバー（１２）によって前記ミッションケース（４）等を覆い、前記車体カバー（１２）上部に運転席（１３）を取付け、その運転席（１３）の前方で前記ボンネット（９）後部に操向ハンドル（１４）を設ける。
【０００９】
また、図中（１５）は６条植え用の苗載台（１６）並びに複数の植付爪（１７）などを具備する植付部であり、前高後低の合成樹脂製の前傾式苗載台（１６）を下部レール（１８）及びガイドレール（１９）を介して植付ケース（２０）に左右往復摺動自在に支持させると共に、一方向に等速回転させるロータリケース（２１）を前記植付ケース（２０）に支持させ、該ケース（２１）の回転軸芯を中心に対称位置に一対の爪ケース（２２）（２２）を配設し、その爪ケース（２２）（２２）先端に植付爪（１７）（１７）を取付ける。また前記植付ケース（２０）の前側にローリング支点軸（２３）を介して支持フレーム（２４）を設け、トップリンク（２５）及びロワーリンク（２６）を含むリンク機構（２７）を介して走行車（１）後側に支持フレーム（２４）を連結させ、前記リンク機構（２７）を介して植付部（１５）を昇降させる昇降シリンダ（２８）をロワーリンク（２６）に連結させ、前記前後輪（６）（８）を走行駆動して移動すると同時に、左右に往復摺動させる苗載台（１６）から一株分の苗を植付爪（１７）によって取出し、連続的に苗植え作業を行うように構成する。
【００１０】
また、図中（２９）は走行変速レバー、（３０）は植付昇降兼作業走行変速用副変速レバー、（３１）は植付け感度調節レバー、（３２）は主クラッチペダル、（３３）（３３）は左右ブレーキペダル、（３４）は２条分均平用センターフロート、（３５）は２条分均平用サイドフロート、（３６）は６条用の側条施肥機である。
【００１１】
さらに、図４、図５にも示す如く、肥料を入れる肥料タンクである施肥ホッパ（３７）と、肥料を定量供給する肥料繰出ケース（３８）と、施肥部であるフロート（３４）（３５）の側条作溝器（３９）にフレキシブル形搬送ホース（４０）を介して肥料を排出させるターボブロワー型送風機（４１）と、円筒形のエアタンク（４２）とを、前記施肥機（３６）に備えると共に、エアタンク（４２）右側端に送風機（４１）を取付け、６条分の６組の肥料繰出ケース（３８）…をエアタンク（４２）上側に配設させている。
【００１２】
さらに、図６乃至図１１に示す如く、前記車体フレーム（３）後端の左右支柱（４３）上端間に横架する水平フレーム（４４）両側に左右ベースフレーム（４５）（４５）を取付け、前後方向に略水平に横架させる前記ベースフレーム（４５）を介して施肥機（３６）を設けると共に、左右ベースフレーム（４５）（４５）にブラケット（４６）（４６）を介してエアタンク（４２）をボルト止め固定させるもので、ベースフレーム（４５）後端部と車体フレーム（３）間にサイドステー（４７）を連結させ、ベースフレーム（４５）前後側に前後昇降レール（４８）（４９）…を立設させ、前後一組左右二対の４本の該昇降レール（４８）（４８）（４９）（４９）を介して施肥機（３６）を昇降自在に取付けると共に、左右一対の２本のガススプリング（５０）（５０）によって昇降自在に施肥機（３６）を取付け、車体フレーム（３）後端部に配置させるリヤアクスルケース（７）に施肥機（３６）重量を支持させるもので、図１２にも示す如く、前後昇降レール（４８）（４９）に対向させる軸受板（５１）を設け、前記レール（４８）（４９）に転動自在に嵌込むベアリングローラ（５２）…を軸受板（５１）に回転自在に軸支させ、前後２本のレール（４８）（４９）を左右対称に２組設け、１本のレール（４８）（４９）に対して上下２個のローラ（５２）（５２）を取付け、左右一対の軸受板（５１）（５１）を４本のレール（４８）（４９）と８個のローラ（５２）…によってベースフレーム（４５）に昇降自在に支持させている。
【００１３】
また、前記ガススプリング（５０）の下端を前記車体フレーム（３）に連結させ、前記軸受板（５１）にガススプリング（５０）上端を連結させ、前記レール（４８）（４９）とガススプリング（５０）を略平行に立設させると共に、施肥機（３６）の前後幅方向の重心位置にガススプリング（５０）を連結させるもので、施肥機（３６）の重量と略等しいかまたは若干小さい伸張力をガススプリング（５０）が有するように構成している。
【００１４】
さらに、図１２乃至図１５に示す如く、左右の軸受板（５１）（５１）を丸パイプ形の前フレーム（５３）によって一体固定させ、施肥機（３６）を持上げるときに作業者が握る取手（５４）を前記前フレーム（５３）に溶接固定させ、左右の前記軸受板（５１）（５１）に支軸（５５）（５５）を介して左右ロックレバー（５６）（５６）を回転自在に軸支させ、前側の左右昇降レール（４８）（４８）に左右ロックレバー（５６）（５６）を介して左右軸受板（５１）（５１）前部を係止させると共に、後側の左右昇降レール（４９）（４９）に左右ロックピン（５７）（５７）を摺動自在に取付け、図１２に示す軸受板（５１）の係合孔（５８）にロックピン（５７）を係脱自在に係入させ、後側の左右昇降レール（４９）（４９）に左右軸受板（５１）（５１）後部を左右ロックピン（５７）（５７）を介して係止させ、軸受板（５１）の前部と後部を前後の昇降レール（４８）（４９）にロックレバー（５６）とロックピン（５７）により固定させる。また図１５、図１９に示す如く、前記昇降レール（４８）に上下係合孔（５８）（５９）を形成させ、各係合孔（５８）（５９）にロックレバー（５６）を係入させて施肥機（３６）を上昇位置または下降位置で固定支持させるもので、ロックレバー（５６）を前記取手（５４）の下側に延出させ、運転席（１３）側に突設させる取手（５４）を作業者が握り乍らロックレバー（５６）を操作し、ロックレバー（５６）を係合孔（５８）（５９）から離脱させることができるように構成している。
【００１５】
また、前記前フレーム（５３）にケース前ブラケット（６０）を溶接固定させ、該ケース前ブラケット（６０）に前記繰出ケース（３８）前側をボルト止め固定させるもので、１ユニットとして構成する中央２条分の繰出ケース（３８）（３８）を左右の昇降レール（４８）（４９）間に配設させ、昇降レール（４８）（４９）の機外側に左右各２条分の繰出ケース（３８）（３８）を夫々配設させ、２条１組として３ユニットの繰出ケース（３８）…を左右に並設させている。
【００１６】
さらに、図１６乃至図１８に示す如く、前記繰出ケース（３８）の上面前側の取入口（６１）に前記ホッパ（３７）の下部出口（６２）を嵌着させると共に、前記繰出ケース（３８）前面下側に取出口（６３）を形成し、着脱自在なキャップ（６４）によって取出口（６３）を閉塞している。前記キャップ（６４）を取外して取出口（６３）を開放し、ホッパ（３７）内部の肥料を前側下方に流下させるもので、このときに施肥機（３６）を昇降レール（４８）（４９）の上昇位置に支持させ、取出口（６３）と下方のエアタンク（４２）の間隔を拡大させ、肥料を入れる容器を前記取出口（６３）下方に容易に差し入れることができ、残留肥料の取出しを容易に行えるように構成している。
【００１７】
また、前記繰出ケース（３８）下面に閉塞レバー（６５）を介してケース底部である底蓋（６６）を着脱自在に固定させると共に、硬質合成樹脂製の前記底蓋（６６）下面に出口（６７）を形成するもので、エアタンク（４２）に前端部を嵌着させる軟質合成樹脂製の接合パイプ（６８）を備え、該パイプ（６８）後端に硬質合成樹脂製のホースジョイント（６９）前端を着脱自在に嵌着させると共に、前記ジョイント（６９）後端に前記搬送ホース（４０）を嵌着させ、前記送風機（４１）の送風をエアタンク（４２）から各パイプ（６８）…及びホース（４０）に吹出させ、底蓋（６６）の出口（６７）からジョイント（６９）中間に落下する肥料を搬送ホース（４０）に移動させるもので、Ｔ字形フランジを形成する前記ジョイント（６９）中間に入口（７０）を上向き開放に形成し、底蓋（６６）の出口（６７）に嵌合キャップ（７１）を固定させ、該キャップ（７１）を前記入口（７０）の外壁に着脱自在に嵌着させ、出口（６７）を入口（７０）に接続させると共に、前記エアタンク（４２）に取付板（７２）を一体固定させ、取付板（７２）に前記ジョイント（６９）をボルト止め固定させている。
【００１８】
また、取入口（７３）及び吹出口（７４）を有する入口板（７５）と、同一円周上に略四角形の複数の繰出口（７６）…を有する繰出ロールである繰出板（７７）と、排出口（７８）を有する出口板（７９）を備え、略円形平板製の前記各板（７５）（７７）（７９）を繰出ケース（３８）と底蓋（６６）の間に多層状に配設させると共に、繰出ケース（３８）にロール駆動軸である繰出軸（８０）を略垂直に回転自在に軸支させ、各板（７５）（７７）（７９）の中央部に繰出軸（８０）下端側を貫通させ、出口板（７９）下面に下方側からバネ（８１）を弾圧させ、各板（７５）（７７）（７９）を下方に抜出し自在に繰出軸（８０）に支持させ、かつ閉塞レバー（６５）によって各板（７５）（７７）（７９）を繰出ケース（３８）と底蓋（６６）間に弾圧させるもので、入口板（７５）と出口板（７９）を繰出ケース（３８）に係止させ、各板（７５）（７９）に対して繰出軸（８０）を遊転させると共に、繰出板（７７）を繰出軸（８０）に係合軸支させ、繰出軸（８０）によって繰出板（７７）を強制的に回転させ、取入口（７３）から繰出口（７６）に入った肥料を排出口（７８）に移動させて出口（６７）方向に落下させるように構成している。
【００１９】
また、前記取入口（７３）端部で繰出口（７６）上面の余分な肥料を取除くゴム製仕切板（８２）を備え、高さ調節する撮（８３）を介して前記仕切板（８２）を繰出ケース（３８）に高さ調節自在に取付け、繰出板（７７）上面に対する仕切板（８２）下端の高さ調節を繰出ケース（３８）外部から行い、繰出口（７６）の肥料送出量を調節するように構成している。
【００２０】
また、前記入口板（７５）の吹出口（７４）に対向させる圧風取入口（８４）を繰出ケース（３８）に形成し、前記エアタンク（４２）の中空部と前記圧風取入口（８４）を分流パイプ（８５）によって連通させ、前記パイプ（８５）及び取入口（８４）を介して送風機（４１）及びエアタンク（４２）からの送風を吹出口（７４）に供給し、排出口（７８）位置に移動した繰出口（７６）に吹出口（７４）から送風し、該送風によって繰出口（７６）の肥料を下方に強制的に落下させ、粒形の肥料またはこの粉が繰出口（７６）内に残るのを防ぐように構成している。
【００２１】
さらに、図７、図１０、図１５にも示す如く、前記エンジン（２）出力を植付部（１５）に伝達させるＰＴＯ軸（８６）をミッションケース（４）から後方に延出させると共に、前記左支柱（４３）に軸受ケース（８７）を溶接固定させ、軸受ケース（８７）の入力軸（８８）を前記ＰＴＯ軸（８６）中間にチェン（８９）を介して連動連結させ、軸受ケース（８７）の出力軸（９０）後端部にクランク板（９１）をボールロック構造により着脱自在に固定させる。また、前記軸受板（５１）及びケース後ブラケット（９２）を一体固定させる四角パイプ形後面フレーム（９３）を備え、エアタンク（４２）及び前フレーム（５３）と略平行に後面フレーム（９３）を横架させ、ケース後ブラケット（９２）に前記繰出ケース（３８）後側をボルト止め固定させる。
【００２２】
また、前記左の軸受板（５１）にブラケット（９４）及び軸（９５）を介して繰出量調節レバー（９６）を軸支させると共に、左の軸受板（５１）に支軸（９７）を介して調節リンク（９８）及び支点リンク（９９）を設け、前記レバー（９６）のネジ部（１００）に調節リンク（９８）を連結させ、支点リンク（９９）に調節支点（１０１）を取付け、該支点（１０１）に駆動アーム（１０２）を軸支させる。そして、運転席（１３）方向に突出させる前記レバー（９６）の回転操作によってネジ部（１００）を回転させることにより、前記各リンク（９８）（９９）が一体的に回転し、前記調節支点（１０１）位置を変更させるもので、運転席（１３）の作業者によって前記レバー（１０２）の繰出量調節操作が行えるように構成している。
【００２３】
また、前記後面フレーム（９３）に軸受板（１０３）を介して繰出駆動軸（１０４）を回転自在に軸支させ、該駆動軸（１０４）に揺動アーム（１０５）を固定させ、前記駆動アーム（１０２）に長さ調節自在な伸縮ロッド（１０６）一端側を連結させ、かつ前記揺動アーム（１０５）に前記伸縮ロッド（１０６）の他端側を連結させると共に、前記クランク板（９１）を駆動アーム（１０２）に入力ロッド（１０７）を介して連結させ、植付駆動用のＰＴＯ軸（８６）から入力ロッド（１０７）及び駆動アーム（１０２）を介して繰出駆動軸（１０４）に駆動力を伝え、図示しない植付クラッチの入切によって植付部（１５）と施肥機（３６）を同時に作動させたり停止させる操作を行い、また前記出力軸（９０）に対してクランク板（９１）を取外して駆動部を切離して施肥機（３６）の上昇部を持上げる操作を行うもので、前記レバー（９６）操作により調節支点（１０１）を位置変更させ、伸縮ロッド（１０６）の往復ストロークを無段階に変更させて肥料繰出量の無段調節を行うように構成している。
【００２４】
さらに、図９に示す如く、前記後面フレーム（９３）に連れ回り防止一方向クラッチ（１０８）を介してクラッチ軸（１０９）を軸支させ、該クラッチ軸（１０９）に一方向クラッチ（１１０）を介して入力リンク（１１１）を設けると共に、前記繰出駆動軸（１０４）に揺動リンク（１１２）を固定させ、該リンク（１１２）を前記入力リンク（１１１）に連係ロッド（１１３）を介して連結させ、入力リンク（１１１）を揺動させてクラッチ軸（１０９）を一方向に間欠的に回転させるように構成している。
【００２５】
また、前記繰出ケース（３８）に条止めクラッチケース（１１４）を固定させると共に、前記繰出軸（８０）上端側にベベルギヤ（１１５）（１１６）を介して入力軸（１１７）を常時連結させるもので、入力軸（１１７）を前記クラッチ軸（１０９）に継断自在に連結させる条止めクラッチ（図示省略）を前記クラッチケース（１１４）に内設させると共に、前記ケース（１１４）の条止めクラッチを継断操作するクラッチレバー（１１８）とクラッチアーム（１１９）を前記クラッチケース（１１４）の前後に振分け配設させ、前記植付部（１５）の苗載台（１６）上側背面部に設ける植付け条止め用ユニットクラッチレバー（１２０）に、後面フレーム（９８）のアウタ受（１２１）により張設させる条止めワイヤ（１２２）を介して、前記クラッチアーム（１１９）を連結させる。そして、前記植付け条止めユニットクラッチレバー（１２０）操作によって６条植え用の各植付爪（１７）…のいずれかを停止させたとき、停止させた植付爪（１７）に対応する前記ケース（１１４）の条止めクラッチを切断動作させて施肥動作を中止させ、植付爪（１７）によって苗を植付ける条にだけ施肥を行うように構成している。
【００２６】
さらに、図１２乃至図１４にも示す如く、中央２条分の肥料繰出ケース（３８）（３８）取付位置外側で前フレーム（５３）と後面フレーム（９３）に左右の軸受板（５１）（５１）を溶接固定させると共に、前フレーム（５３）と後面フレーム（９３）の両端部を左右のサイドフレーム（１２３）（１２３）によって一体固定させ、両側２条分の肥料繰出ケース（３８）（３８）を軸受板（５１）とサイドフレーム（１２３）間の前フレーム（５３）及び後面フレーム（９３）に取付けるもので、四角枠形の各フレーム（５３）（９３）（１２３）を軸受板（５１）によって左右方向に三等分に区切り、前後のフレーム（５３）（９３）間に６条分の肥料繰出ケース（３８）を掛け渡し支持させる。
【００２７】
図１３、図１６、図１８にも示す如く、前記繰出ケース（３８）と前フレーム（５３）間に設けるブラケット（６０）には横方向に長径の覗穴（１２４）を開設していて、繰出ケース（３８）に底蓋（６６）を組付ける際、苗載台（１６）側に回り込むことなく正面側より容易に位相などの確認を行って、これら組付けの取扱い性を向上させるように構成している。
【００２８】
また図１６に示す如く、前記ホースジョイント（６９）と搬送ホース（４０）との接続にあっては、ホースジョイント（６９）の出口内径部（６９ａ）に搬送ホース（４０）の入口外径部（４０ａ）を、別途ジョイントなどを用いることなく直接的に挿入結合させて、軽量・コンパクトな構成とすると共に着脱操作の容易化を図ってメンテナンス性を向上させるように構成している。
【００２９】
さらに、図１、図１９に示す如く、前記接合パイプ（６８）に接合させる空気取入側から空気吹出し側に向けて先細り形に形成する空気流入口である空気噴出口（１２５）と、前記入口（７０）を備える円筒（１２６）によって形成する肥料流入口である肥料落下口（１２７）と、前記搬送ホース（４０）に送出側を接合させる合流送出口（１２８）を、前記ホースジョイント（６９）に形成するもので、前記噴出口（１２５）と送出口（１２８）を略同一直線上に配置させ、前記噴出口（１２５）と送出口（１２８）の接合部に肥料落下口（１２７）を接続させている。そして、前記円筒（１２６）の入口（７０）側をエアタンク（４２）に近づける方向に円筒（１２６）を傾斜させ、ホースジョイント（６９）の噴出口（１２５）からの空気噴出方向に対して直角方向より後退角を有するように肥料落下口（１２７）を傾斜させ、つまり肥料落下口（１２７）を空気噴出口（１２５）に対し鋭角に傾斜させて形成し、前記噴出口（１２５）から噴出した空気が落下口（１２７）内に移動し、その空気が落下口（１２７）の入口（７０）から肥料繰出ケース（３８）内部に吹出すのを防いでいる。
【００３０】
またさらに、前記空気噴出口（１２５）端部に一定長さの小径のストレート部（１２５ａ）を形成して噴出流速の一様化を図ると共に、このストレート部（１２５ａ）と肥料落下口（１２７）との交差壁部を鋭角のノーズ部（１２６ａ）に形成してこのストレート部（１２５ａ）から落下口（１２７）への空気吹上りを防止している。そして最も小径になるストレート部（１２５ａ）の端部（１２５ｂ）を肥料落下口（１２７）の略中央下方に開口させ、空気噴出口（１２５）からの空気の噴流により、負圧になる合流送出口（１２８）方向に肥料落下口（１２７）の空気を吸引させるもので、また空気噴出口（１２５）の下流側の合流送出口（１２８）を末広がり形状に形成し、搬送ホース（４０）接続部に向けて下降傾斜する斜面（１２９）を合流送出口（１２８）底面に形成し、空気噴出口（１２５）下流部の合流送出口（１２８）底部での肥料堆積を防いでいる。
【００３１】
さらに、肥料繰出ケース（３８）に連結させるホースジョイント（６９）の入口（７０）の開口外周に鈎形突部（１３０）を設け、該突部（１３０）を形成する円筒（１２６）開口縁に台形斜面（１３１）を設けると共に、前記底蓋（６６）の出口（６７）に嵌着させる可撓性ゴム製嵌合キャップ（７１）の上端側内径に比べて下端側内径を大きく形成し、嵌合キャップ（７１）の縦断面端面をハの字形とし、下端側を末広がりに形成する。また嵌合キャップ（７１）の中間部内周に肉厚突条（１３２）を設けると共に、嵌合キャップ（７１）の下端部内周に肉薄突条（１３３）を設け、前記ホースジョイント（６９）の円筒（１２６）に嵌合キャップ（７１）を上方側から被せたとき、これら突条（１３２）（１３３）が台形斜面（１３１）に弾圧密着し、出口（６７）と入口（７０）間の隙間が嵌合キャップ（７１）によって密閉されるように構成している。
【００３２】
ところで、前記繰出ケース底蓋（６６）は逆円錐体の漏斗状に形成し、前記出口（６７）中心を繰出軸（８０）の軸芯の延長線真下に位置するように設けて、繰出軸（８０）に対し一定寸法離れた位置の排出口（７８）より吹出口（７４）からの送風力などとともに一定量の繰出肥料が排出されるとき、繰出板（７７）による回転慣性作用によってこの肥料を螺旋流として繰出軸（８０）を中心に螺旋回転させながら出口（６７）に落下させて、出口（６７）に肥料詰りなどのないスムーズな排出を促進させるように構成している。
【００３３】
つまり前記底蓋（６６）を駆動軸（８０）を中心とした逆等円錐体の漏斗形状に形成し、繰出肥料を螺旋流で落下させることによって、肥料の落下の流れをスムーズなものとして堆積も起こり難いものとし、前記ホースジョイント（６９）に合流するときの入り力も大とし、ホースジョイント（６９）からの空気の吹返しも低減させ、例え肥料が破損するような場合でも螺旋流となって落下する肥料で強制落下させ、さらには底蓋（６６）の側壁部には全周に所定以上の傾斜角（α）を略均一に有して最小傾斜角部を無くし、肥料の堆積するのを有効に防止して、出口（６７）からの肥料のスムーズな排出を促進させるように構成したものである。
【００３４】
また、前記底蓋（６６）の出口（６７）の口径（ａ）を従来の口径（例えば２５ｍｍ）より大（例えばａ＝２８）に形成すると共に、ホースジョイント（６９）の入口（７０）の口径（ｂ）をこの口径（ａ）より大（ｂ＞ａ）に形成して、これら出口（６７）から入口（７０）への肥料の受継ぎ落下を溜りのないスムーズなものとさせるように構成している。
【００３５】
さらに、前記底蓋（６６）の出口（６７）とホースジョイントの入口（７０）との合流部（１３４）に肥料詰り防止用の掃除部材（１３５）を設けるもので、線径の細いコイルバネ（１３６）によって掃除部材（１３５）を形成し、該バネ（１３６）の外径を前記出口（６７）及び入口（７０）の内径近くの寸法に設けると共に、前記繰出軸（８０）の下端に係合保持するバネホルダー（１３７）に、捩りバネ（１３８）を介し前記コイルバネ（１３６）の上端を首振り可能に連結させて、繰出軸（８０）を回転させての肥料繰出し時にコイルバネ（１３６）も一体に回動させて、前記出口（６７）及び入口（７０）に肥料粉等が付着するのをコイルバネ（１３６）によって防止するように構成している。
【００３６】
また前記コイルバネ（１３６）は、コイル内周が空間のため肥料の落下の妨げとさせることなく、また首振り可能に支持させることによってバネ（１３６）に回動による負荷がかかり難く、屈曲したホースジョイント（６９）入口の堆積物などを容易に除去可能とさせ、さらに、前記排出口（７８）から肥料落下時に螺旋流を描く方向とバネ（１３６）の回動方向とを同一方向とさせて、バネ（１３６）を肥料の落下の妨げとさせることなく、肥料の詰りを防止し肥料のスムーズな排出を促進させるように構成したものである。
【００３７】
また図２０に示す如く、前記バス（８１）のバネ座（１３９）を底蓋（６６）の内周に突設する３箇所の取付ボス（１４０）にボルト（１４１）を解し取外し自在に固定させるもので、前記排出口（７８）からの肥料の旋回落下時の流れを妨げないように左右対称より繰出板（７７）の回転方向（ｃ）側にボス（１４０）の取付位置を一定角度（θ）ずらして、肥料のスムーズな旋回落下を促進させるように構成している。
【００４１】
【発明の効果】
上記から明らかなように請求項１に係る発明は、肥料を送出する肥料繰出ケース（３８）と、植付部（１５）に肥料を送給する搬送ホース（４０）と、前記搬送ホース（４０）に肥料搬送風を供給するエアタンク（４２）とを、ホースジョイント（６９）にて連結し、前記肥料繰出ケース（３８）に繰出ロール（７７）を備え、該繰出ロール（７７）をロール駆動軸（８０）にて駆動するように構成してなる田植機において、前記エアタンク（４２）及びホースジョイント（６９）に対して前記肥料繰出ケース（３８）を昇降可能に配置し、前記肥料繰出ケース（３８）の出口（６７）と、ホースジョイント（６９）の肥料入口（７０）との隙間を塞ぐ嵌合キャップ（７１）を備えると共に、前記肥料入口（７０）に連通する肥料落下口（１２７）を前記ホースジョイント（６９）に形成し、前記肥料落下口（１２７）に肥料詰り防止用の掃除部材（１３５）を配置し、前記掃除部材（１３５）を前記ロール駆動軸（８０）に連結した。したがって、例えば粉の多い肥料、或いは高湿度条件下など肥料詰りが発生し易い作業条件でも、前記合流部（１３４）における肥料粉等などの付着を掃除部材（１３５）にて確実に防止でき、肥料詰り等を低減できるものである。
【００４２】
請求項２に係る発明は、前記掃除部材（１３５）を線径の細いコイルバネ（１３６）にて形成し、前記ロール駆動軸（８０）に前記掃除部材（１３５）を首振り可能に連結したから、前記肥料落下口（１２７）における肥料詰りを良好に防止できると共に、コイルバネ（１３６）内側の空間にて肥料がスムーズに排出され、前記掃除部材（１３５）が肥料排出の妨げとなることも解消できて、前記ホースジョイント（６９）にて肥料が搬送風にスムーズに合流できるものである。
【図面の簡単な説明】
【図１】繰出ケースの合流部の断面説明図である。
【図２】全体の側面図である。
【図３】同平面図である。
【図４】施肥機部の平面図である。
【図５】同背面図である。
【図６】同側面説明図である。
【図７】昇降レール部側面説明図である。
【図８】肥料繰出ケース部の側面説明図である。
【図９】肥料繰出ケース部の平面説明図である。
【図１０】ベースフレーム部の背面説明図である。
【図１１】肥料繰出ケース部の背面説明図である。
【図１２】軸受板部の側面説明図である。
【図１３】取手部の平面説明図である。
【図１４】同背面説明図である。
【図１５】同側面説明図である。
【図１６】肥料繰出ケースの断面側面説明図である。
【図１７】同断面背面説明図である。
【図１８】同断面平面説明図である。
【図１９】底蓋とホースジョイントとの分解説明図である。
【図２０】底蓋の平面説明図である。
【符号の説明】
（１５）    植付部
（３８）    肥料繰出ケース
（４０）    搬送ホース
（４２）    エアタンク
（６６）    底蓋（底部）
（６７）    出口
（６９）    ホースジョイント
（７０）    入口
（７７）    繰出板（繰出ロール）
（１３４）  合流部
（１３５）  掃除部材
（１３６）  コイルバネ
【図１】
0003612606.tif 000002
【図２】
0003612606.tif 000003
【図３】
0003612606.tif 000004
【図４】
0003612606.tif 000005
【図５】
0003612606.tif 000006
【図６】
0003612606.tif 000007
【図７】
0003612606.tif 000008
【図８】
0003612606.tif 000009
【図９】
0003612606.tif 000010
【図１０】
0003612606.tif 000011
【図１１】
0003612606.tif 000012
【図１２】
0003612606.tif 000013
【図１３】
0003612606.tif 000014
【図１４】
0003612606.tif 000015
【図１５】
0003612606.tif 000016
【図１６】
0003612606.tif 000017
【図１７】
0003612606.tif 000018
【図１８】
0003612606.tif 000019
【図１９】
0003612606.tif 000020
【図２０】
0003612606.tif 000021